(57)【特許請求の範囲】
【請求項１】
火災受信機から導出された制御回線に、防排煙機器、自火報機器を任意に選択して接続可能としたフレキシブル火災受信機であって、
電源ラインに接続される給電端子と、共通端子と、制御リレー接点を介して、端末機器を接続した制御回線に接続される制御端子とを有し、それぞれの制御回線に対応して設けられた第１の制御回線設定コネクタと、
上記第１の制御回線設定コネクタのそれぞれの共通端子に接続された連結端子と、電源ラインに接続された給電端子と、グランド端子とを有した第２の制御回線設定コネクタとを備え、
上記第１の制御回線設定コネクタにおいては、上記制御端子に対する給電端子あるいは共通端子の接続状態の組み合わせ、第２の制御回線設定コネクタにおいては、上記連結端子に対する給電端子あるいはグランド端子の接続状態の組み合わせを選択することによって、各制御端子を有電圧出力、無電圧出力のいずれかに設定することにより、この制御端子に対応する制御回線に、防排煙機器、地区ベル、非常放送設備を選択的に接続出来るようにしたフレキシブル火災受信機。
【請求項２】
請求項１において、
上記第２の制御回線設定コネクタの連結端子には、電源ラインからの給電を検出する給電検出手段を設けた構成にしているフレキシブル火災受信機。
【請求項３】
請求項２において、
上記第１の制御回線設定コネクタの制御端子の各々には、電源ラインからの給電を検出する別の給電検出手段を更に設けた構成にしているフレキシブル火災受信機。
【請求項４】
請求項３において、
信号処理部と、表示部とを設け、
上記信号処理部では、上記第１、第２の回線設定コネクタの制御端子、連結端子のそれぞれに設けた給電検出手段による電源ラインによる電圧印加の有無を判別して、それぞれの制御回線が地区ベル、非常放送設備、防排煙機器のいずれかに設定されていることを上記表示部に表示させる構成にしているフレキシブル火災受信機。
【請求項５】
請求項１〜４において、
上記フレキシブル火災受信機は、感知器回線に接続されたいずれかの感知器が発報したときには、その感知器に対して、予め連動関係を割り付けている制御回線より制御信号を出力させる構成にしているフレキシブル火災受信機。
【発明の詳細な説明】
【０００１】
【発明の属する技術分野】
本発明は、自火報機器または防排煙機器のいずれにも対応可能なフレキシブル火災受信機の改良に関する。
【０００２】
【従来の技術】
近時、ビルや集合住宅等に導入されている火災受信機において、自火報機器または防排煙機器のいずれにも対応可能なフレキシブル火災受信機が使用されている。
【０００３】
ここに、自火報機器とは、感知器の発報により火事を人に知らせる地区ベルや非常放送設備をいい、防排煙機器とは、火災による煙の拡大防止用、および火災により煙が充満している場所の排気用の機能を備えた機器をいう。
【０００４】
このようなフレキシブル火災受信機を使用すると、例えば、２５の制御回線が存在する場合、自火報用に２０回線、防排煙用に５回線などのように、施工現場に対応させて制御回線の設定が可能となる。
【０００５】
【発明が解決しようとする課題】
ところが、このようなフレキシブル火災受信機は、端末機器を接続する制御回線となる制御出力ラインは、地区ベル、非常放送設備や防排煙機器に対応したものが設けられている。そのため、このような火災受信機では、端末機器を駆動するための制御リレーや、その接点は使用する可能性のある全ての制御回線に対応して設ける必要があるため、制御リレーを含む制御回路を実装したプリント基板が大きくなり、それに伴って火災受信機自身も大型化している。
【０００６】
そこで、近時においては、地区ベルと非常放送設備とを、同じ制御回線に共用して選択的に接続出来るようにしたものも開発されているが、端末機器として制御回線に地区ベルを接続して使用する場合と、非常放送設備を接続して使用する場合とでは異なる操作、設定しなければならない。
【０００７】
すなわち、端末機器として非常放送設備を使用する場合には、火災受信機に入力する感知器回線に対して、制御回線を１対１に対応させる構成になっている。そのため、感知器回線に応じた出力端子と制御回線が必要となり、複数の制御回線が建物の同一階に割り当てられているような場合には、その階に対応させている制御回線どうしを渡り接続して、階の移報信号として処理する必要があった。
【０００８】
したがって、後者のような火災受信機においても、制御回線毎に、地区ベルを接続する場合と、非常放送設備を接続する場合とで、渡り接続を行ったり、火災受信機のメモリーに連動情報として記憶設定させる情報も異なるため、依然として現場での設定作業を面倒にしている。
【０００９】
本発明は、上記事情に鑑みてなされたものであり、第１の目的は、複合受信機として使用する場合に、自火報機器と防排煙機器とに使用する出力端子を共用化し、それぞれの用途に応じて簡単な切換設定を行うだけで、自火報機器と防排煙機器との使い分けができ、しかも制御回線の共用化によって必要な制御回線数と、制御リレー数を減じて、受信機全体を小型化し、製造コストも軽減できるフレキシブル火災受信機を提供することにある。
【００１０】
また、第２の目的は、自火報システムの火災受信機として使用する場合に、制御回線の設定が地区ベル、非常放送設備のいずれの対応になっているかを、火災受信機内の信号処理部で自動検知することができるフレキシブル火災受信機を提供することにある。
【００１１】
第３の目的は、端末機器に非常放送設備を接続して使用する場合においても、面倒な渡り接続をなくし、地区ベルの場合と同様な設定が簡易に出来るフレキシブル火災受信機を提供することにある。
【００１２】
【課題を解決するための手段】
上記目的を達成するため、本発明では、次のような構成を特徴としたフレキシブル火災受信機を提案している。
【００１８】
また、請求項５〜８は、複合火災受信機に適用され、それぞれの制御回線には、地区ベル、非常放送設備の自火報機器に加えて、防排煙機器も施工現場に応じて、選択して接続できる。
【００１９】
ここに、請求項１は、電源ラインに接続される給電端子と、共通端子と、制御リレー接点を介して、端末機器を接続した制御回線に接続される制御端子とを有し、それぞれの制御回線に対応して設けられた第１の制御回線設定コネクタと、第１の制御回線設定コネクタのそれぞれの共通端子に接続された連結端子と、電源ラインに接続された給電端子と、グランド端子とを有した第２の制御回線設定コネクタとを備え、第１の制御回線設定コネクタにおいては、制御端子に対する給電端子あるいは共通端子の接続状態の組み合わせ、第２の制御回線設定コネクタにおいては、連結端子に対する給電端子あるいはグランド端子の接続状態の組み合わせを選択することによって、各制御端子を有電圧出力、無電圧出力のいずれかに設定することにより、この制御端子に対応する制御回線に、防排煙機器、地区ベル、非常放送設備を選択的に接続出来るようにしている。
【００２０】
請求項２では、第２の制御回線設定コネクタの連結端子には、電源ラインからの給電を検出する給電検出手段を設けた構成にしている。
【００２１】
さらに、請求項３では、第１の制御回線設定コネクタの制御端子の各々には、電源ラインからの給電を検出する別の給電検出手段を更に設けた構成にしている。
【００２２】
更に、請求項４では、信号処理部と、表示部とを設け、信号処理部では、第１、第２の回線設定コネクタの制御端子、連結端子のそれぞれに設けた給電検出手段による電源ラインによる電圧印加の有無を判別して、それぞれの制御回線が地区ベル、非常放送設備、防排煙機器のいずれかに設定されていることを上記表示部に表示させる構成にしている。
【００２３】
また、請求項５では、フレキシブル火災受信機は、感知器回線に接続されたいずれかの感知器が発報したときには、その感知器に対して、予め連動関係を割り付けている制御回線より制御信号を出力させる構成にしている。
【００２４】
【発明の実施の形態】
以下に、本発明の実施の形態について図面とともに説明する。図１は、本発明のフレキシブル火災受信機（複合火災受信機）の要部構成を示す回路図である。この複合火災受信機１には、自火報機器として地区ベル・非常放送設備のいずれか一方と防排煙機器とを、それぞれの数に応じて設定可能な兼用回線を通じて接続することができる。
【００２５】
この複合火災受信機１では、複数の感知器等（発信機を含む）Ｓ１〜Ｓｎは、回線を通じて入力端子Ｌ１〜Ｌｎと接続可能であり、地区ベルＢ１〜Ｂｎ、防排煙機器Ｄ１〜Ｄｎ、非常放送設備Ｅは、共用の出力端子Ｔ１〜Ｔｎと接続可能な構成となっている。非常放送設備Ｅは設備としては１つであるが、複数のスピーカ（不図示）が非常放送設備Ｅと接続できる構成となっている。図において、Ｃ、ＢＣ、ＤＣ、ＥＣは、それぞれ共通端子を示している。
【００２６】
複合火災受信機１は、感知器Ｓ１による火災信号を入力すれば、信号処理部１０により、出力端子Ｔ１〜Ｔｎに接続された地区ベル等の端末機器Ｂ１〜Ｂｎ、Ｄ１〜Ｄｎ、Ｅを作動させるようにしている。また、表示部２には、複合火災受信機１と端末機器Ｂ１〜Ｂｎ、Ｄ１〜Ｄｎ、Ｅの接続状態等を表示させる。
【００２７】
図２は、複合火災受信機の制御部の要部構成を示す回路図である。図のように、制御出力ラインＬｉ１には、制御リレー接点ｒ１と自火報・防排煙切換設定用の第１の制御回線設定コネクタＣＡ１の制御端子Ｐ２が接続されており、コネクタＣＡ１の給電端子Ｐ１は、防排煙機器用の電源ラインＬｉに、共通端子Ｐ３は、地区ベル・非常放送設備切換用の第２の制御回線設定コネクタＣＢの連結端子Ｐ５に接続している。また、他の制御出力ラインＬｉ２〜Ｌｉｎも、Ｌｉ１と同様に接続されている。
【００２８】
ここで、例えば、第１の制御回線設定コネクタＣＡ１を防排煙機器用に設定した場合、すなわち給電端子Ｐ１と制御端子Ｐ２を接続した場合、電源Ｖ１からは、電源ラインＬｉと制御出力ラインＬｉ１を経由して、出力端子Ｔ１に有電圧出力させることになる。また、第１の制御回線設定コネクタＣＡｎを自火報機器用に設定した場合、すなわち制御端子Ｐ２と共通端子Ｐ３を接続した場合には、第２の制御回線設定コネクタＣＢを地区ベル用に設定、すなわち給電端子Ｐ４と連結端子Ｐ５を接続すれば、電源ラインＬｉと制御出力ラインＬｉｎを経由して、出力端子Ｔｎに有電圧出力させることになり、第２の制御回線設定コネクタＣＢを非常放送設備用に設定すれば、すなわち連結端子Ｐ５とグランド端子Ｐ６を接続すれば、出力端子Ｔｎに無電圧出力させることとなる。
【００２９】
なお、グランド端子Ｐ６はグランド接続されていなくてもよく、無電圧で閉ループが形成されていればよい。
【００３０】
このように、第１の制御回線設定コネクタＣＡ１〜ＣＡｎを回線ごとに、第２の制御回線設定コネクタＣＢを全体で１つ設け、２つの制御回線設定コネクタの切換接続の組み合わせにより、制御出力ラインＬｉ１〜Ｌｉｎを選択的に、地区ベル制御（有電圧出力）用、非常放送設備制御（無電圧出力）用、または防排煙機器制御（有電圧出力）用に使用することができる。
【００３１】
図２の例では、制御出力ラインＬｉ１を防排煙機器Ｄ１に、制御出力ラインＬｉｎを非常放送設備Ｅに接続した場合の接続状態を示している。
【００３２】
なお、図２において、Ｆ１、Ｆ２は、電源ラインＬｉに過大な電流が流れたとき、その電流を遮断するためのヒューズである。また、ｒＤ、ｒＥＣ、ｒＢＣは、防排煙機器、自火報機器制御出力の停止等に使用する制御リレー接点である。
【００３３】
第２の制御回線設定コネクタＣＢを、地区ベル、非常放送設備のいずれに設定しているかを検知するために、コネクタＣＢの連結端子Ｐ５に、フォトカプラＰＣを含む給電検出手段を接続している。
【００３４】
第２の制御回線設定コネクタＣＢを有電圧側に設定していれば、電源Ｖ１から電源ラインＬｉを経由して、ヒューズＦ２、コネクタＣＢに電流が流れ、フォトカプラＰＣに通電する。フォトカプラＰＣのフォトトランジスタの作用により、後述の信号処理部を構成するマイコンの入力ポートには、「Ｌ」が入力される。無電圧側に設定していれば、フォトカプラＰＣには通電せず、マイコンには「Ｈ」が入力されることになる。
【００３５】
なお、このフォトカプラＰＣによる地区ベル・非常放送設備の切換設定検知は、防排煙機能を有さない自火報機能専用の火災受信機にも適用できる。これについては、図４で後述する。
【００３６】
さらに、この給電検出手段と同様の手段を、第１の制御回線設定コネクタＣＡ１〜ＣＡｎ各々の制御端子Ｐ２に接続すれば（不図示）、自火報機器・防排煙機器の切換設定を、マイコンで容易に検知することができる。
【００３７】
図３は、複合火災受信機の信号処理部の要部概略構成を示す回路図である。図において、１０は入力信号に基づいて端末機器の制御を行う信号処理部、１１はプログラム等を記憶しているＲＯＭ、２は接続状態等を表示する表示部、Ｓｎは感知器、Ｌｎ−Ｃは感知器発報入力用の入力端子、ＰＣは図２と同一のフォトカプラのフォトトランジスタである。信号処理部１０は、前述のフォトカプラＰＣの通電有無の入力を受けて、火災受信機１が、地区ベルまたは非常放送設備のいずれに接続しているかを検知することができ、更に、接続状態を表示部２に表示することができる。
【００３８】
また、ＲＯＭ１１には、感知器Ｓｎ等の発報入力によって、各端末機器を連動させる設定がされている。感知器Ｓｎが発報すれば、信号処理部１０は、設定されている連動のパターンに従って、制御リレーコイルＲ１〜Ｒｎの１つ又は複数を励磁して、該当の制御リレー接点が閉じ、制御出力ラインに出力することができる。なお、図において、ＲＤ、ＲＥＣ、ＲＢＣは、図２における制御リレー接点ｒＤ、ｒＥＣ、ｒＢＣに対応する制御リレーコイルであり、これらも、信号処理部１０の判断により出力される。
【００３９】
例えば、地区ベルの連動が、発報した感知器の回線に対応して、出火階と、その直上階に対応する地区ベル鳴動するように設定され、防排煙機器の連動が、発報した感知器の回線に対応した防排煙機器を制御するように設定されているとする。感知器Ｓｎが発報すると、信号処理部１０は、その感知器回線に対して連動設定された端末機器（地区ベルと防排煙機器）を制御するため、該当の制御リレーコイルＲ１〜Ｒｎを励磁させ、対応する制御リレー接点ｒ１〜ｒｎが閉じ、各機器に該当する制御出力ラインＬｉ１〜Ｌｉｎに有電圧出力する（以上、図２も参照）。
【００４０】
自火報機器が非常放送設備である場合は、例えば、発報した感知器の回線に対応した階代表に移報する連動設定がされているとする。感知器Ｓｎが発報すると、信号処理部１０は、その感知器回線に対して連動設定された端末機器（非常放送設備と防排煙機器）を制御するため、該当の制御リレーコイルＲ１〜Ｒｎを励磁させ、対応する制御リレー接点ｒ１〜ｒｎが閉じ、各機器に該当する制御出力ラインＬｉ１〜Ｌｉｎに、防排煙機器であれば有電圧出力し、非常放送設備であれば無電圧出力する（以上、図２も参照）。
【００４１】
このように、感知器回線ごとに、地区ベル、非常放送設備、防排煙機器の連動設定をしておけば、容易に各端末機器の連動が可能となる。
【００４２】
図４は、本発明のフレキシブル火災受信機（自火報火災受信機）の要部構成を示す回路図である。この自火報火災受信機１´は、自火報機能のみを有し、制御出力ラインＬｉ１〜Ｌｉｎには、地区ベルまたは非常放送設備Ｅを接続できるフレキシブル火災受信機である。
【００４３】
図のように、制御出力ラインＬｉ１には、制御リレー接点ｒ１とコネクタＣＡ１の制御端子Ｐ２が接続されている。また、他の制御出力ラインＬｉ２〜Ｌｉｎも、Ｌｉ１と同様に接続されている。
【００４４】
ここで、例えば、コネクタＣＡ１を地区ベル用に設定した場合、すなわち給電端子Ｐ１と制御端子Ｐ２を接続した場合は、電源Ｖ１からは、電源ラインＬｉと制御出力ラインＬｉ１を経由して、出力端子Ｔ１に有電圧出力させることになる。また、コネクタＣＡｎを非常放送設備用に設定した場合、すなわち制御端子Ｐ２と共通端子Ｐ３を接続した場合には、出力端子Ｔｎに無電圧出力させることになる。
【００４５】
図４の例では、制御出力ラインＬｉ１を地区ベルＢ１に、制御出力ラインＬｉｎを非常放送設備Ｅに接続した場合の接続状態を示している。
【００４６】
なお、図４において、Ｆは、電源ラインＬｉに過大な電流が流れたとき、その電流を遮断するためのヒューズである。また、ｒＥＣ、ｒＢＣは、地区ベル、非常放送設備制御出力の停止等に使用する制御リレー接点である。
【００４７】
制御回線設定コネクタＣＡ１〜ＣＡｎを、地区ベル、非常放送設備のいずれに設定しているかを検知するために、コネクタＣＡ１〜ＣＡｎそれぞれの制御端子Ｐ２に、フォトカプラＰＣ１〜ＰＣｎを含む給電検出手段を接続している。
【００４８】
制御回線設定コネクタＣＡ１〜ＣＡｎを有電圧側に設定していれば、電源Ｖ１から電源ラインＬｉを経由して、ヒューズＦ、コネクタＣＡに電流が流れ、フォトカプラＰＣ１〜ＰＣｎに通電する。フォトカプラＰＣ１〜ＰＣｎのフォトトランジスタの作用により、信号処理部を構成するマイコンの入力ポートには、「Ｌ」が入力される。無電圧側に設定していれば、フォトカプラＰＣ１〜ＰＣｎには通電せず、マイコンには「Ｈ」が入力されることになる。
【００４９】
図５（ａ）は、ジャンパコネクタとコネクタを示す図である。コネクタＣＡ１〜ＣＡｎ（ＣＢ）は、３つのピンＰ１〜Ｐ３（Ｐ４〜Ｐ６）を備えており、ピンＰ１（Ｐ４）、Ｐ２（Ｐ５）にジャンパーコネクタＪを取り付けるか、またはピンＰ２（Ｐ５）、Ｐ３（Ｐ６）に付け替えて短絡接続できるような構造となっている。図のようにジャンパーコネクタを縦に取り付けると、Ｐ１、Ｐ２が短絡し、防排煙機器への出力ラインが形成され、横に取り付けると（不図示）、Ｐ２、Ｐ３が短絡し、自火報機器への出力ラインが形成される。
【００５０】
また、図５（ｂ）は、他のジャンパーコネクタの例を示す図である。もっとも、ジャンパーコネクタを使用せずに、別の手段によって接続してもよい。
【００５５】
【発明の効果】
以上の説明からも理解できるように、請求項１〜４に記載の本発明のフレキシブル火災受信機では、第１、第２の制御回線設定コネクタの端子を切換接続するだけで、制御回線を、防排煙機器用、地区ベル用、非常放送設備用のいずれかに設定することができる。
また、制御回線を共用しているので、出力端子、制御リレーの数を減らし、マイコンの出力ポート数を減らして信号処理部の構成も簡易化できるなどの利点があり、全体として製造コストを安価に出来る。
【００５６】
特に、請求項２では、火災受信機が自火報受信機として使用される場合には、給電検出手段によって、電源ラインから第２の制御回線コネクタの連結端子に加わる電圧の有無を検出することによって、制御回線が地区ベル、非常放送設備のいずれの設定になっているかの判別が容易に出来る。
また、請求項３では、制御回線についての設定情報を信号処理部に入力設定していなくても、第１の制御回線設定コネクタのそれぞれの制御端子に設けた給電検出手段と、第２の制御回線設定コネクタの連結端子に設けた別の給電検出手段とによる電圧印加の有無に応じて、それぞれの制御回線には、地区ベル、非常放送設備、防排煙機器に設定されていることが判別できる。
【００５７】
更に、請求項４では、制御回線設定コネクタの接続操作によって設定された制御回線の設定状態が表示部に表示されるので、施工現場での設定の忘れや、設定と異なる種類の端末機器を接続するなどのトラブルも未然に防止できる。
請求項５では、火災受信機が自火報受信機、防排煙受信機のいずれかとして使用される場合にも、制御回線を感知回線に対応させて、連動設定しているので、建物階に応じて連動制御を行う場合に有益である。
また、非常放送設備を接続して使用する場合も、建物階に応じた分の制御回線を使用すればよく、連動の設定も容易な上に、配線施工も簡易化できる。
【図面の簡単な説明】
【図１】本発明のフレキシブル火災受信機（複合火災受信機）の要部構成を示す回路図である。
【図２】フレキシブル火災受信機の制御部の要部構成を示す回路図である。
【図３】フレキシブル火災受信機の信号処理部の要部概略構成を示す回路図である。
【図４】本発明のフレキシブル火災受信機（自火報受信機）の要部構成を示す回路図である。
【図５】ジャンパコネクタとコネクタを示す図である。
【符号の説明】
１                フレキシブル火災受信機
１０              信号処理部
２                表示部
Ｌｉ１〜Ｌｉｎ    制御回線（制御出力ライン）
Ｂ１〜Ｂｎ        地区ベル
Ｅ                非常放送設備
Ｄ１〜Ｄｎ        防排煙機器
Ｃ１〜Ｃｎ        制御回線設定コネクタ
Ｐ１、Ｐ２、Ｐ３  そのコネクタの給電端子、制御端子、共通端子
ＣＡ１〜ＣＡｎ    第１の制御回線設定コネクタ
Ｐ１、Ｐ２、Ｐ３  そのコネクタの給電端子、制御端子、共通端子
ＣＢ              第２の制御回線設定コネクタ
Ｐ４、Ｐ５、Ｐ６  そのコネクタの給電端子、連結端子、グランド端子
Ｊ                ジャンパーコネクタ
【図１】
0003740927.tif 000002
【図２】
0003740927.tif 000003
【図３】
0003740927.tif 000004
【図４】
0003740927.tif 000005
【図５】
0003740927.tif 000006